(57)【要約】【課題】受け掛け用の金物の取付け位置に狂いがあっても、それを吸収し、壁用面材を下地に対し接近・離反方向のガタツキを生じないよう取付けでき、しかも、それを簡素な構造で容易に実現できる壁用面材の取付け構造を提供する。【解決手段】下地１側の各受け金物３内にガタツキ防止用側の面視外周円形材５がセットされ、該外周円形材５は、そのセット状態において、最広幅部分の高さ位置６が受け金物３内の底面高さ位置７よりも上方に位置し、壁用面材２側の掛け金物４の反ベース辺４ｃが、外周円形材５と下地１側の受け金物３のベース辺３ｂとの間に差し込まれ、その先端が外周円形材５の最広幅高さ位置６ないしはそれよりも下方位置に突出することで壁用面材２が下地１に対し接近・離反方向においてガタ無く取り付けられている。【選択図】      図１
2004300720.tif 000002
【特許請求の範囲】
【請求項１】
壁用面材を下地に取り付ける壁用面材の取付け構造であって、
下地に複数の受け金物が上下方向に間隔をおいて取り付けられ、各受け金物は、側面視上向き開放のコ字形をしており、中間辺を挟む一方の辺をベース辺として該ベース辺が下地に取り付けられており、
壁用面材の背面部に複数の掛け金物が前記受け金物の位置に対応して上下方向に間隔をおいて取り付けられ、各掛け金物は、側面視下向き開放のコ字形をしており、中間辺を挟む一方の辺をベース辺として該ベース辺が壁用面材の背面部に取り付けられており、
下地側の各受け金物内にガタツキ防止材がセットされ、該ガタツキ防止材は、そのセット状態において、最広幅部分の高さ位置が受け金物内の底面高さ位置よりも上方に位置すると共に、該最広幅部分の高さ位置よりも上方部分がガタツキ防止材と受け金物のベース辺との間隔寸法を上方に向けて漸次大きくするような形態を備えており、
壁用面材側の掛け金物の反ベース辺がガタツキ防止材と下地側の受け金物のベース辺との間に差し込まれ、上下方向の少なくとも２つの掛け金物の反ベース辺の先端がガタツキ防止材の最広幅高さ位置ないしはそれよりも下方位置に突出することで、壁用面材が下地に対し接近・離反方向においてガタ無く取り付けられていることを特徴とする壁用面材の取付け構造。
【請求項２】
前記ガタツキ防止材が側面視外周円形部材からなる請求項１に記載の壁用面材の取付け構造。
【発明の詳細な説明】
【０００１】
【発明の属する技術分野】
本発明は、壁用面材の取付け構造に関する。
【０００２】
【関連技術及び課題】
例えば、住宅等の建物の外壁の施工において、建物の構造用合板の屋外側の面部を下地にして窯業系などの外壁用の面材を取り付けるような場合に、その方法として、下地の側に受け金物を取り付け、面材の側に掛け金物を取り付け、掛け金物を受け金物に掛けることによって、外壁用面材を下地に取り付ける方法が考えられる。
【０００３】
ところで、このような受け金物と掛け金物とによる取付け方法を採用する上で必要なことがあり、それは、取付け状態において、外壁用面材が下地に対し接近・離反方向にガタツキを生じないようにすることである。
【０００４】
しかしながら、受け金物と掛け金物とを、外壁用面材と下地とに、位置を対応させて、上下方向に複数備えさせるような場合には、各金物の取付け位置の微妙な狂いによって、掛け金物が受け金物に深く掛けられているところと、浅く掛けられているところとを生じやすく、斜面構造などによって掛ける深さ位置が一定になればガタツキを生じないような設計構造を採用しただけでは、実際の施工において各金物の取付け位置の微妙な狂いによって、掛ける深さ寸法が一定とならないために、接近・離反方向においてガタツキを生じてしまう場合がある。
【０００５】
本発明は、上記のような問題点に鑑み、外壁用面材などの壁用面材を上下方向に複数の金物による受け掛け方式によって下地に取り付ける場合に、受け掛け用の金物の取付け位置に狂いがあるような場合であっても、その狂いを吸収して壁用面材を下地に対し接近・離反方向のガタツキを生じないように取り付けることができ、しかも、それを簡素な構造で容易に実現することができる壁用面材の取付け構造を提供することを課題とする。
【０００６】
【課題を解決するための手段】
上記の課題は、壁用面材を下地に取り付ける壁用面材の取付け構造であって、
下地に複数の受け金物が上下方向に間隔をおいて取り付けられ、各受け金物は、側面視上向き開放のコ字形をしており、中間辺を挟む一方の辺をベース辺として該ベース辺が下地に取り付けられており、
壁用面材の背面部に複数の掛け金物が前記受け金物の位置に対応して上下方向に間隔をおいて取り付けられ、各掛け金物は、側面視下向き開放のコ字形をしており、中間辺を挟む一方の辺をベース辺として該ベース辺が壁用面材の背面部に取り付けられており、
下地側の各受け金物内にガタツキ防止材がセットされ、該ガタツキ防止材は、そのセット状態において、最広幅部分の高さ位置が受け金物内の底面高さ位置よりも上方に位置すると共に、該最広幅部分の高さ位置よりも上方部分がガタツキ防止材と受け金物のベース辺との間隔寸法を上方に向けて漸次大きくするような形態を備えており、
壁用面材側の掛け金物の反ベース辺がガタツキ防止材と下地側の受け金物のベース辺との間に差し込まれ、上下方向の少なくとも２つの掛け金物の反ベース辺の先端がガタツキ防止材の最広幅高さ位置ないしはそれよりも下方位置に突出することで、壁用面材が下地に対し接近・離反方向においてガタ無く取り付けられていることを特徴とする壁用面材の取付け構造によって解決される。
【０００７】
この構造では、上下方向の複数の掛け金物のうちの少なくとも２つの掛け金物の反ベース辺の先端がガタツキ防止材の最広幅高さ位置ないしはそれよりも下方位置に突出するようになされている。従って、金具の取付け位置に狂いがあっても、掛け金物の反ベース辺の先端がガタツキ防止材の最広幅高さ位置ないしはそれよりも下方位置に突出することによって取付け位置の狂いを吸収し、壁用面材を下地に対して接近・離反方向においてガタ無く取り付けることができる。
【０００８】
しかも、ガタツキ防止材は、その最広幅部分の高さ位置よりも上方部分が、受け金物のベース辺との間隔寸法を上方に向けて漸次大きくするような形態を備えているので、ガタツキ防止材を下地側の受け金物内に前後方向に位置決め状態となるようにセットしなくとも、単に受け金物内に載せ置くなどしさえすれば、壁用面材側の掛け金物の反ベース辺が、ガタツキ防止材と下地側の受け金物のベース辺との間に差し込まれてガタツキのない取付け状態を得ることができ、受け金物内へのガタツキ防止材のセッティングから壁用面材の取付けまでを容易に行っていくことができる。
【０００９】
加えて、ガタツキ防止材を受け金物や掛け金物とは別体のものとし、受け金物にガタツキ防止材をセットして壁用面材を取り付ける構造であるから、受け金物や掛け金物を側面視コ字形の単純簡素な形態にすることができ、金物の加工製作費を抑えて、壁用面材を下地にコスト的に有利に取り付けることができる。
【００１０】
上記の構造において、ガタツキ防止材が側面視外周円形部材からなる場合、例えば外周円形の棒状材やパイプ材、球体などである場合には、受け金物内へのセット状態におけるガタツキ防止材の向きについての制限もなくなり、ガタツキ防止材はどの向きを向いていてもよく、そのため、受け金物へのガタツキ防止材のセッティングを極めて容易に行っていくことができる。しかも、このような外周円形材はコスト的に非常に有利に入手することができるので、受け金物や掛け金物のコスト的有利性との組合せにおいて、壁用面材を下地により一層コスト的に有利に取り付けることができる。
【００１１】
【発明の実施の形態】
次に、本発明の実施形態を図面に基づいて説明する。
【００１２】
図１乃至図３に示す第１実施形態の取付け構造は、住宅等の建物の外壁下地１の屋外側の面部に窯業系などからなる外壁用面材２を取り付ける場合のものである。
【００１３】
下地１には、図１に示すように、受け金物３が上下方向に４つ、互いに間隔をおいて取り付けられ、図２、図３に拡大して示すように、各受け金物３は、側面視上向き開放のコ字形をしており、中間辺３ａを挟む一方の辺３ｂをベース辺として該ベース辺３ｂが下地１にビス等の締付け金具や接着剤などで取り付けられている。
【００１４】
また、外壁面材２の背面部には、図１に示すように、掛け金物４が、上記の受け金物３の取付け位置に対応して、同じく上下方向に４つ取り付けられ、図２、図３に拡大して示すように、各掛け金物４は、側面視下向き開放のコ字形をしており、中間辺４ａを挟む一方の辺４ｂをベース辺として該ベース辺４ｂが外壁用面材２の背面部に取り付けられている。
【００１５】
そして、上記の下地１側の各受け金物３…の内部には、ガタツキ防止材５…がセットされている。
【００１６】
本実施形態では、このガタツキ防止材５…が側面視外周円形部材、例えば円柱材からなっており、それにより、図３に示すように、ガタツキ防止材５を受け金物３内にセットした状態で、ガタツキ防止用の最広幅部分の高さ位置６が受け金物３内の底面高さ位置７よりも上方に位置するようになされている。
【００１７】
また、ガタツキ防止材５として、上記のような側面視外周円形部材を用いることにより、図２（ロ）に示すように、ガタツキ防止材５を受け金物３内にセットした状態で、ガタツキ防止材５の最広幅部分の高さ位置６よりも上方部分５ａがガタツキ防止材５と受け金物３のベース辺３ｂとの間隔寸法を上方に向けて漸次大きくするようになされている。
【００１８】
なお、ガタツキ防止材５の前後方向における幅寸法は、掛け金物４の反ベース辺４ｃのしっくりとした差込みが許容される程度の隙間を受け金物３のベース辺３ｂとの間に形成することができる程度の寸法であればよく、あるいは、ガタツキ防止材５が受け金物３内にしっくりセットされるか、前後方向に若干のガタを生じるようにセットされるか、受け金物を若干変形させるようにしてセットされるかを問わず、受け金物３を若干変形させることで掛け金物４の反ベース辺４ｃが差し込まれるようになされていてもよい。
【００１９】
下地１への外壁用面材２の取付けは、まず、図２（イ）に示すように、下地１の受け金物３内にガタツキ防止材５を入れてセットする。ガタツキ防止材５は、側面視外周円形のものであるから、どの向きを向いても外周円形であり、受け金物３内にガタツキ防止材５を入れるに際して向きを気にする必要はなく、間違いなく確実に適正な設置状態にすることができる。しかも、側面視外周円形であり、下半部が半円弧をしているので、受け金物３内に容易にセットすることができる。
【００２０】
次いで、図２（ロ）（ハ）に示すように、外壁面材２を下地１側に寄せていき、外壁用面材２側の掛け金物４の反ベース辺４ｃを、ガタツキ防止材５と下地１側の受け金物３のベース辺３ｂとの間に差し込んで落とし込む。ガタツキ防止材５の最広幅部分の高さ位置６よりも上方部分５ａは受け金物３のベース辺３ｂとの間隔寸法を上方に向けて漸次大きくしていくようになされているので、掛け金物４が外壁面材２の背面側に備えられて下地への取付けの際に見えにくくても、掛け金物４の反ベース辺４ｃをガタツキ防止材５と下地１側の受け金物３のベース辺３ｂとの間に容易に差し込んで落とし込むことができる。これを上下方向の４つ掛け金物４…について同時に行う。こうして、外壁用面材２が下地１に取り付けられる。
【００２１】
この取付け状態において、上下方向に４つの掛け金物４…のうちのいずれか少なくとも２つの掛け金物の反ベース辺４ｃの先端が、図３（ロ）に示すようにガタツキ防止材５の最広幅高さ位置６、ないしは、図３（ハ）に示すようにそれよりも下方位置に突出していることで、外壁用面材２は下地１に対し接近・離反方向においてガタ無く取り付けられる。
【００２２】
即ち、外壁用面材２の背面側への掛け金物４の取付け位置や、下地１への受け金物３の取付け位置に、施工上の狂いを生じたとしても、その位置の狂いが、少なくとも２つの掛け金物４について、掛け金物４…の反ベース辺４ｃの先端位置を、ガタツキ防止材５の最広幅高さ位置６とそれよりも下方の受け金物３の中間辺３ａの上面高さ位置７との間の範囲内に納めうる程度のものであれば、そのような取付け位置の狂いを吸収して、外壁用面材２を下地１に対し接近・離反方向においてガタ無く取り付けることができる。
【００２３】
図３（イ）は、取付け状態において、掛け金物４…の反ベース辺４ｃの先端が、ガタツキ防止材５の最広幅高さ位置６よりも上方位置に突出している場合を示している。このような場合であっても、残る他の少なくとも２つの掛け金物４の反ベース辺４ｃの先端が図３（ロ）あるいは図３（ハ）に示すような差込み状態となっていれば、外壁用面材２を下地１に対し接近・離反方向においてガタ無く取り付けることができる。もちろん、上下方向のすべての金物が図３（ロ）（ハ）のような差込み状態となっているのが最も良いことはいうまでもない。
【００２４】
このように、上記の取付け構造によれば、受け金物３と掛け金物４とガタツキ防止材５の３つの部品を用いて外壁用面材２を前後方向のガタなく下地１に取り付けるようになされているで、受け金物３と掛け金物４をコ字形の簡素な構造にすることができて金物のコストを低く抑えることができ、また、ガタツキ防止材５として外周円形材を用いているので、有利な効果を発揮しつつ、より一層のコスト低減を図ることができる。
【００２５】
以上に、本発明の実施形態を示したが、本発明はこれに限られるものではなく、発明思想を逸脱しない範囲で各種の変更が可能である。例えば、ガタツキ防止材として側面視外周円形材を用いる場合に、その具体的形状は上記のような円柱材のほか、円筒材であってもよいし、球体であってもよいし、また、外周ネジの雄ネジ棒材などであってもよい。雄ネジ棒材を用いてそのネジ山で掛け金物４の反ベース辺４ｃを押圧状態に挟み込む場合にはガタのないしっかりとした取付け状態を得ることができる。また、ガタツキ防止材として、上記のような側面視外周円形材５のほか、図４（イ）（ロ）に示すような各種の側面視外周非円形材５，５であってもよい。更に、上記の実施形態では、外壁用の面材２を下地１に取り付ける場合の構造を示しているが、建物の内装用の面材を下地に取り付ける場合の取付け構造として用いることもできる。
【００２６】
【発明の効果】
本発明の壁用面材の取付け構造は、以上のとおりのものであるから、外壁用面材などの壁用面材を上下方向に複数の金物による受け掛け方式によって下地に取り付ける場合に、受け掛け用の金物の取付け位置に狂いがあるような場合であっても、その狂いを吸収して壁用面材を下地に対し接近・離反方向のガタツキを生じないように取り付けることができ、しかも、それを簡素な構造で容易にかつコスト的に有利に実現することができる。
【図面の簡単な説明】
【図１】実施形態の取付け構造を示すもので、図（イ）は取付け前の状態を示す断面側面図、図（ロ）は取り付けた状態の断面側面図である。
【図２】図（イ）〜図（ハ）は取付け方法を順次に示す拡大断面側面図である。
【図３】図（イ）は受け掛け金具部分の不適正な取付け状態を示す断面側面図、図（ロ）（ハ）はそれぞれ受け掛け金具部分の適正な取付け状態を示す断面側面図である。
【図４】図（イ）及び図（ロ）はそれぞれ他の実施形態にかかる取付け構造を示す拡大断面側面図である。
【符号の説明】
１…下地
２…外壁用面材（壁用面材）
３…受け金物
３ａ…中間辺
３ｂ…ベース辺
３ｃ…反ベース辺
４…掛け金物
４ａ…中間辺
４ｂ…ベース辺
４ｃ…反ベース辺
５…ガタツキ防止材
５ａ…上方部分
６…最広幅部分の高さ位置
７…底面高さ位置
【図１】
2004300720.tif 000003
【図２】
2004300720.tif 000004
【図３】
2004300720.tif 000005
【図４】
2004300720.tif 000006